(57)【要約】      （修正有）【課題】映像シアターの場外における長時間の待ち時間を短縮してサービスの向上を図ることができる旋回座席映像シアター設備を提供する。【解決手段】正方形状の床面の４か所のコーナーにディスプレー４を配置し、中心部に円形の旋回座席７を設けて、ディスプレーに対応した座席を設け映像ソフトを４分の１に分割して各ディスプレーで一斉に上映し、終了毎に床板５を９０°旋回し、座席を次のディスプレーと対面させ順送りして映像ソフト全編の上映を完了するので旋回床板上の４分の１の座席の観客は入換となり場外待ち時間は全編上映時間の４分の１で済むこととなる。またこの映像装置では単独の映像ソフトの他に異種類の映像を多重上映することが可能で応用範囲は広い。【選択図】図１
0003151773.tif 000002
【実用新案登録請求の範囲】
【請求項１】
正方形状の床面の内接円と対角線の交点を中心として、音声装置付きの大型ディスプレー装置を中心に向けて設置し、床面中心部の円筒形基礎上に、垂直、水平およびモーメント等の荷重に耐え得るボールリング軸受を介して水平に旋回自在な円形床板を取り付け、円形床板には正方形状床面の直交中心線に沿って仕切壁を設け、対角線上に設置したディスプレーに向き合った区画として観客用の座席を設けて構成した旋回座席映像シアター。
【請求項２】
本考案の映像シアター設備で上映する映像ソフトは全て上映時間を４等分となるように編集して４分の１とした映像ソフトを各ディスプレーに右回りの順序に供給して、一斉に上映し終了時に旋回床板の外周に設けたレールをリニアモーター又は減速電動機で駆動するフリクションローラーによって旋回床板を右回りに９０°旋回し、４番目のディスプレーが上映を終了すると観客は退場し床板は更に９０°旋回して新規の観客が入場するようにして場外で待っている観客の待ち時間を全編上映時間の４分の１に短縮可能な映像シアター。
【請求項３】
本考案の映像シアターにおいて全上映時間が等しく４等分に編集した異なる分野の映像ソフトを多重に上映が可能な映像シアター設備。
【考案の詳細な説明】
【技術分野】
【０００１】  この考案による設備は大型テレビジョン映像技術と大形鋼構造品の製造技術による遊戯機械の応用に関するものである。
【背景技術】
【０００２】  最近の映画館はフィルム映像のかわりに大型の高品位テレビジョンが上映されるようになり、又映像に合わせて搖動する大型のシミュレーション設備はテーマソングを加えてエンターテイメント施設になっておりこのたびの考案に少なからず影響を受けている。
【考案の開示】
【考案が解決しようとする課題】
【０００３】  最近のテレビジョンを上映する映画館は規模が小さく収容人員も少ないため観客は入換時刻まで長時間屋外で待つことが多いが、この待ち時間を短縮することが重要なサービス向上となり、解決が望まれる。
【考案が解決するための手段】
【０００４】  通常映画館の定員は８０〜１００名位で一回の上映時間は６０〜９０分で入換が行われるため入場の待ち時間は上映時間とほぼ同じとなるが、この待ち時間を短縮するためには本考案の映像設備とすれば待ち時間の大幅な短縮が可能となる。
本考案の映像設備は正方形状の床面の内接円と対角線の交点を中心として大型のディスプレーを中心に向けて配置し、正方形状床面の中心部には円筒形の基礎上に垂直、水平およびモーメント等の荷重に耐え得るボールリング軸受を介して水平に旋回自在な円形床板を取り付け、これに床面の直交中心線に沿って仕切壁を取り付けて対角線上のディスプレーに向き合った区画とし、そこに観客用の座席を設けた旋回座席映像シアターとする。
【０００５】  ここで上映するすべての映像ソフトは全上映時間を４等分となるように編集して、各４分の１のソフトを右回りの順番に各ディスプレーで同時に上映し、各区画の座席の観客はこの映像を見て終了すると床板は９０°旋回して次のディスプレーの前に移り次の場面の映像ソフトを見て順次進み、座席が３６０°旋回するとこの映像ソフトは完結する。
【０００６】  座席は９０°旋回毎に入換となるから入場待ちの観客は全編の４分の１の待ち時間となる。床板の旋回は４分の１の映像ソフトが終了する毎にその信号で床板外周のレールをリニアーモーター又は減速電動機直結のフリクションローラーによって９０°旋回する。
このシアターでは毎回同一の映像ソフトを上映する他に、異なる分野の映像ソフトで映像の条件が同じであれば、全上映時間の４分の１毎に多重上映が可能である。
【考案の効果】
【０００７】  この考案による旋回座席シアターにおいては観客の入場待ち時間が全上映時間の４分の１となり、著しいサービスの向上となり、又、上映時間が同一の他の分野の映像が多重に上映できるので多様な観客の需要に対応することができる特長を有する。
【考案を実施するための最良の形態】
【０００８】図１は本考案による旋回座席シアター設備の平面図で本設備を構成する機器類の配置を示していて、１は設備の基準となる正方形状の床面で、２は正方形の内接円を示し対角線との交点３に４台のディスプレー４を配置してある。正方形の中央部には水平に旋回自在の円形床板５があって直交中心線に沿って４か所に仕切り壁６を取り付けて４か所の区画とし各ディスプレーに向かって観客用の座席７を設置して旋回座席映像シアターを構成する。【０００９】図２はＡ、Ｏ、Ａ線に沿った断面図で円形床板５を円形基礎８およびボールリング軸受９で支承している。この映像設備全体は壁１０で区画されており、外側には制御室１１を設置する。【００１０】  この設備で上映する映像ソフトは４分割したものを右回りの順番で各ディスプレーで一斉に上映し、各区画の観客は各ディスプレーの映像をみて終了すると床板は９０°旋回し、右隣のディスプレーに向き合った位置に移動し上映進行に従って順次旋回を重ね３６０°で映像ソフトが完了し、区画４−４の観客は場外へ退出し、この空席となった区画は９０°旋回してこの位置で新しい観客が入場し次の上映を開始する。
【実施例】
【００１１】  図３は本考案による映像シアター設備の作動説明図で、制御室では上映を予定している映像ソフトを発信器にセットしている映像ソフトはいずれも４分の１に編集してあり特定のソフトを毎回単独で上映する場合と異種のソフトを多重に上映することが可能である。４−１〜４−４の各ディスプレーには映像ソフトからの発信により順序に従って上映される。
各ディスプレーの上映が終了すると座席の円形床板５が９０°旋回して右隣りのディスプレーの位置に向き合い、次の４分の１の映像を見て順次９０°旋回を繰り返し３６０°旋回すると映像全編の上映は完了し、最初に入場した観客は退場する。異種のソフトを多重上映する場合は図３に示した通り、ａ、ｂ、ｃ、ｄの各４分の１のソフトを順序に従ってセットすれば多重上映が可能である。【００１２】図４は特定のソフトを毎回単独で上映する場合の各区画の動きを示したものである。【００１３】図５は異種のソフトを多重に上映する場合の各区画の動きを示したものである。【００１４】図６はソフトと各座席の動きを示したものである。
【産業上の利用可能性】
【００１５】この考案による設備は映画興行者は勿論、これ以外にショッピングセンター、スーパーマーケット、百貨店、遊園地等大量集客施設の付帯設備などとしてアニメーション、自社ＰＲ映像などのサービス提供には好適であり、この他空港、ターミナルビル、道の駅、教育施設などの付帯設備として活用ができる。
【図面の簡単な説明】
【００１６】
【図１】本考案の旋回座席映像シアター設備の平面図である。
【図２】本考案設備のＡ−Ｏ−Ａの断面図である。
【図３】本設備の作動説明図である。
【図４】特定のソフトを毎回単独で上映する場合の作動説明図である。
【図５】異種のソフトを多重に上映する場合の作動説明図である。
【図６】映像ディスプレーに対する旋回座席の作動図である。
【符号の説明】
【００１７】１．設備の基準となる正方形状の床面
２．正方形状床面の内接円
３．内接円と対角線の交点
４．映像ディスプレー（４−１〜４−４．対角線上４か所に設備したディスプレー及び映写室区画）
５．円形旋回床板
６．仕切壁（旋回壁）
７．座席（７−１〜７−４．旋回座席）
８．中心部円形基礎
９．ボールリング軸受
１０．壁
１１．制御室
１２．映像ソフト（ａ、ｂ、ｃ、ｄ）
【図１】
0003151773.tif 000003
【図２】
0003151773.tif 000004
【図３】
0003151773.tif 000005
【図４】
0003151773.tif 000006
【図５】
0003151773.tif 000007
【図６】
0003151773.tif 000008
【手続補正書】
【提出日】平成21年4月9日(2009.4.9)
【手続補正１】
【補正対象書類名】実用新案登録請求の範囲
【補正対象項目名】全文
【補正方法】変更
【補正の内容】
【実用新案登録請求の範囲】
【請求項１】
正方形状の床面の内接円と対角線の交点を中心として、音声装置付きの大型ディスプレー装置を中心に向けて配置し、床面中心部の円筒形基礎上に、垂直、水平およびモーメント等の荷重に耐え得るボールリング軸受を介して水平に旋回自在な円形床板を取り付け、円形床板には正方形状床面の直交中心線に沿って仕切壁を設け、対角線上に設置したディスプレーに向き合った区画として観客用の座席を設けて構成した旋回座席映像シアター。
【手続補正２】
【補正対象書類名】明細書
【補正対象項目名】００１５
【補正方法】変更
【補正の内容】
【００１５】この考案による設備は映画興行者は勿論、これ以外にショッピングセンター、スーパーマーケット、百貨店、遊園地等大量集客施投の付帯設備などとしてアニメーション、自社ＰＲ映像などのサービス提供には好適であり、この他空港、ターミナルビル、教育施設などの付帯設備として活用ができる。